(57)【要約】      （修正有）【課題】部品点数を増加させることなく、シャーシの摺動性を高め、光ディスクドライブ装置を正しく動作させる。【解決手段】光ディスクドライブ装置は、ターンテーブル５２を保持するトラバースシャーシ５１と、トラバースシャーシに保持されており、一部がトラバースシャーシから突き出るよう第１方向に伸びた主軸５４及び副軸５５と、主軸、副軸を介して第１方向にスライド可能に保持される光ピックアップと、トラバースシャーシから突き出た主軸、副軸が挿入される長穴６５，６６を備え、長穴に挿入された主軸、副軸をスライドさせて、トラバースシャーシの位置を第１の位置から、第１の位置と比べて高い第２の位置に変化させるカムスライダー６１と、を有する。【選択図】図５
2015153435.tif 000002
【特許請求の範囲】
【請求項１】
ターンテーブルを保持するシャーシと、
前記シャーシに保持されており、先端が前記シャーシから突き出るよう第１方向に伸びた軸部と、
前記軸部を介して前記第１方向にスライド可能に保持される光ピックアップと、
前記シャーシから突き出た前記軸部が挿入する長穴部を備え、前記長穴部に挿入された前記軸部をスライドさせて、前記シャーシの位置を第１の位置から、前記第１の位置と比べて高い第２の位置に変化させる昇降部と、を有することを特徴とする光ディスクドライブ装置。
【請求項２】
前記第２の位置に位置する前記シャーシの上方および下方のそれぞれに位置する保護リブを有する、ことを特徴とする請求項１に記載の光ディスクドライブ装置。
【請求項３】
前記昇降部は、前記長穴部を有し、前記第１方向と交差する第２方向にスライドするカムスライダーを備え、
前記保護リブは、前記カムスライダーのスライドにより、前記シャーシの位置が第２の位置に変化することで、前記シャーシの上方および下方に位置するよう、前記カムスライダーに形成されている、ことを特徴とする請求項２に記載の光ディスクドライブ装置。
【請求項４】
前記軸部は、前記光ピックアップを保持する主軸と副軸とを有し、
前記昇降部の長穴には、前記主軸と前記副軸とのそれぞれが挿入している、ことを特徴とする請求項１から請求項３のいずれか一項に記載の光ディスクドライブ装置。
【請求項５】
前記軸部は、前記光ピックアップを保持する主軸と副軸とを有し、
前記主軸または前記副軸のいずれかの先端が前記シャーシから突き出ており、
前記昇降部の長穴には、前記主軸と前記副軸とのいずれかが挿入している、ことを特徴とする請求項１から請求項３のいずれか一項に記載の光ディスクドライブ装置。
【発明の詳細な説明】
【技術分野】
【０００１】
本発明は、光ディスクドライブ装置に関する。
【背景技術】
【０００２】
光ディスクドライブ装置では、ＣＤ（Compact Disc Drive）、ＤＶＤ（Digital Versatile Disk）、ブルーレイディスク（ブルーレイは登録商標）等の光ディスクを、ターンテーブルにセットし、セットされた光ディスクに対して光ピックアップから光を照射させて、情報の読み取りや、書き込みを行う。また、光ディスクドライブ装置では、ターンテーブルを保持するシャーシを昇降部により昇降させて、光ディスクをターンテーブルとクランパーにより挟みこむ。
【０００３】
また、シャーシを昇降させる方法として、シャーシに突部を備え、この突部を昇降部によりスライドさせて、シャーシの位置を変化させるものが知られている（例えば、特許文献１−３参照）。
【先行技術文献】
【特許文献】
【０００４】
【特許文献１】特開２０１２−２２１５３０号公報
【特許文献２】特開２００７−１４９１９９号公報
【特許文献３】特開２００５−１５８２０３号公報
【発明の概要】
【発明が解決しようとする課題】
【０００５】
シャーシは板金で形成されることが多く、昇降部によりスライドする突部の摺動性が問題となる。摺動性が悪いと、シャーシが適切な位置に昇降せず、光ディスクドライブ装置が正しく動作しない場合がある。そのため、突部の摺動性を高めるために、突部に摩擦力を低減させる部材を被せ、この部材により摺動性を高めていた。そのため、部品点数が多くなり、製品コストや作業者の組み付けに要する負荷の増加に繋がっていた。
【０００６】
本発明は、上記課題にかんがみてなされたもので、部品点数を増加させることなく、シャーシの摺動性を高め、光ディスクドライブ装置を正しく動作させることを目的とする。
【課題を解決するための手段】
【０００７】
・適用例１
本発明の一態様では、ターンテーブルを保持するシャーシと、前記シャーシに保持されており、先端が前記シャーシから突き出るよう第１方向に伸びた軸部と、前記軸部を介して前記第１方向にスライド可能に保持される光ピックアップと、前記シャーシから突き出た前記軸部が挿入する長穴部を備え、前記長穴部に挿入された前記軸部をスライドさせて、前記シャーシの位置を第１の位置から、前記第１の位置と比べて高い第２の位置に変化させる昇降部と、を有する。
【０００８】
上記のように構成された発明では、昇降部の長穴にはシャーシから突き出た軸部が挿入している。そして、昇降部が軸部をスライドさせて、シャーシの位置を第１の位置から第２の位置に変化させる。すなわち、昇降部は、断面が円状である軸部が長穴をスライドすることで、シャーシを昇降させるため、摩擦力を低減させるための部材を必要とせず、部品点数の増加に至らない。その結果、部品点数を増加させることなく、シャーシの摺動性を高め、光ディスクドライブ装置を正しく動作させることができる。
【０００９】
・適用例２
本発明の一態様では、前記第２の位置に位置する前記シャーシの上方および下方のそれぞれに位置する保護リブを有する。
上記のように構成された発明では、光ディスクドライブ装置に強い衝撃が加えられた場合でも、保護リブがシャーシを支持することで、加えられた力を分散し、衝撃から光ディスクドライブ装置を守ることができる。
【００１０】
・適用例３
本発明の一態様では、前記昇降部は、前記昇降部は、前記長穴部を有し、前記第１方向と交差する第２方向にスライドするカムスライダーを備え、前記保護リブは、前記カムスライダーのスライドにより、前記シャーシの位置が第２の位置に変化することで、前記シャーシの上方および下方に位置するよう、前記カムスライダーに形成されている。
上記のように構成された発明では、カムスライダーがスライドしてシャーシが第２の位置となった場合に、シャーシの上下に保護リブが位置するため、光ディスクドライブ装置が光ディスクをチャッキングした際に衝撃が加えられた場合でも、光ディスクドライブ装置を衝撃から守ることができる。
【００１１】
・適用例４
本発明の一態様では、前記軸部は、前記光ピックアップを保持する主軸と副軸とを有し、前記昇降部の長穴には、前記主軸と前記副軸とのそれぞれが挿入している。
上記のように構成された発明では、昇降部は２つの軸により光ピックアップユニットを昇降させるため、光ピックアップユニットの位置の変化を適切に行うことができる。
【００１２】
・適用例５
本発明の一態様では、前記軸部は、前記光ピックアップを保持する主軸と副軸とを有し、前記主軸または前記副軸のいずれかの先端が前記シャーシから突き出ており、前記昇降部の長穴には、前記主軸と前記副軸とのいずれかが挿入している。
上記のように構成された発明では、昇降部は１つの軸と嵌合するため、組み付け易さを高めることができる。
【図面の簡単な説明】
【００１３】
【図１】一例としての光ディスクドライブ装置の外観図。
【図２】一例としての光ディスクドライブ装置の分解図。
【図３】一例としてのカムスライダー６１の構成を示す斜視図。
【図４】昇降部６０がトラバースアッシー５０の位置を変化させる作用を説明する図。
【図５】昇降部６０がトラバースアッシー５０の位置を変化させる作用を説明する図。
【図６】一例としてのカムスライダー６１の構成を示す斜視図。
【図７】トラバースアッシー５０を衝撃から保護する構成を説明する図。
【図８】一例としての第３の実施形態に係る光ディスクドライブ装置１０の分解斜視図。
【図９】一例としての第３の実施形態に係るカムスライダーの構成を示す斜視図。
【発明を実施するための形態】
【００１４】
以下、下記の順序に従って本発明の実施形態を説明する。
１．第１の実施形態：
２．第２の実施形態：
３．第３の実施形態：
４．その他の実施形態：
【００１５】
１．第１の実施形態：
図１は、一例としての光ディスクドライブ装置の外観図である。
図１に示す光ディスクドライブ装置１０は、筺体を構成するトップケース２０とボトムケース２５と、筺体の前部からスライド可能に固定されたトレイ３５とを有する。光ディスクドライブ装置１０は、トレイ３５に光ディスクをセットし、トレイ３５を装置内部に引き入れることで、光ディスクに記録された情報の読み出し、または光ディスクに対して情報の書き込みを行う。また、読み取った情報は図示しないケーブルを通じて出力する。
【００１６】
ここで、光ディスクは、ＣＤ（Compact Disc Drive）、ＤＶＤ（Digital Versatile Disk）、ブルーレイディスク（ブルーレイは登録商標）等を対象としている。
また、以下の説明では、トレイ３５が引き出される側を「前方」、トレイ３５が収容される側を「後方」とも記載する。
【００１７】
図２は、一例としての光ディスクドライブ装置の分解図である。
図２に示すように、光ディスクドライブ装置１０のトップケース２０、ボトムケース２５の内部には、トラバースアッシー５０と、ローダーアッシー３０と、を備えている。ローダーアッシー３０は、トラバースアッシー５０を第３方向Ｄ３でスライド可能に保持している。すなわち、光ディスクをチャッキングする際、ローダーアッシー３０は、トラバースアッシー５０を第３方向Ｄ３に昇降させて、光ディスクをチャッキングする。
なお、本実施形態では、トラバースアッシー５０とローダーアッシー３０とを区別するが、両者が一体となってローダーアッシー３０と言うこともある。
【００１８】
トラバースアッシー５０は、トラバースシャーシ５１、ターンテーブル５２、光ピックアップ５３、主軸５４、副軸５５、スクリューモーター５６、ティース５７と、を有する。この実施形態では、トラバースシャーシ５１が本発明のシャーシに相当する。
【００１９】
トラバースシャーシ５１は、薄板状の金属により構成されている。また、トラバースシャーシ５１は、光ディスクがセットされるターンテーブル５２、光ピックアップ５３、主軸５４、副軸５５、スクリューモーター５６、を直接または間接に保持している。そして、トラバースシャーシ５１の後部には、ローダーアッシー３０と締結するための嵌合溝５８が形成されている。
【００２０】
ターンテーブル５２は、スピンドルモーター（不図示）の回転軸と接続されており、このスピンドルモーターを介してトラバースシャーシ５１に保持されている。スピンドルモーターは、例えば、ＤＣモーターや、ステッピングモーターである。
【００２１】
主軸５４、副軸５５は、第１方向Ｄ１に伸びるようトラバースシャーシ５１に保持されている。また、主軸５４、副軸５５の先端５４ａ、５５ａは、トラバースシャーシ５１から前方に突き出ている。この第１の実施形態では、主軸５４と副軸５５とが本発明の軸部である。
【００２２】
光ピックアップ５３は、主軸５４、副軸５５により、トラバースシャーシ５１に対して第１方向にスライド可能に保持されている。光ピックアップ５３は、光学式のピックアップヘッドであり、図示しない、半導体レーザー、光学部品、さらには、反射光の光量をもとにデジタル情報を生成する制御基板、を備えている。また、光ピックアップ５３の主軸５４で保持される側には、ティース５７が接続されている。ティース５７は、スクリューモーター５６の回転軸と噛み合っており、スクリューモーター５６の回転に伴って、光ピックアップ５３をトラッキング方向（第１方向Ｄ１）に移動させる。
例えば、スクリューモーター５６は、ＤＣモーターや、ステッピングモーターである。
【００２３】
ローダーアッシー３０は、トラバースアッシー５０を収容するベース３１と、クランパー４０と、ベース３１の前方に取り付けられた昇降部６０と、を有する。
【００２４】
ベース３１は、上部の一部が開口する箱型形状であって、トラバースアッシー５０を収容する収容空間３３を備える。また、ベース３１の内側の後部には、トラバースシャーシ５１の嵌合溝５８と嵌合する嵌合ピン３４が形成されている。そして、ベース３１の上部には、クランパー４０を保持するクランパー保持部３２が形成されている。このクランパー保持部３２は、ベース３１の第２方向Ｄ２の両壁部をブリッジ状に渡す片により形成されている。例えば、ベース３１とクランパー保持部３２とは樹脂により一体で成形されている。
【００２５】
クランパー保持部３２には、クランパー４０が、第１方向Ｄ１および第２方向Ｄ２で形成される面で回転可能に保持されている。クランパー４０は、トラバースアッシー５０が昇降することで、光ディスクをターンテーブル５２とともにチャッキングする。
【００２６】
そして、ローダーアッシー３０の内側の前方には、トラバースアッシー５０を昇降（第３方向Ｄ３にスライド）させる昇降部６０が取り付けられている。この第１の実施形態では、昇降部６０は、ベース３１の内部で第２方向Ｄ２にスライドするカムスライダー６１と、カムスライダー６１を第２方向Ｄ２にスライドさせる動力を与える動力部６７とを有する。
【００２７】
図３は、一例としてのカムスライダー６１の構成を示す斜視図である。
図３に示すカムスライダー６１は、基部６２と、この基部６２から伸びて動力部６７のギアと噛み合うギア部６３と、基部６２の下部に形成されており、ローダーアッシー３０のベース３１とスライド可能に嵌合するスライド部６４と、基部６２に形成されトラバースシャーシ５１から突き出た軸部（主軸５４、副軸５５）が挿入する長穴６５、６６を有する。
【００２８】
長穴６５、６６は、基部６２を前後で貫通するよう形成されている。また、長穴６５、６６は、基部６２の長手辺の方向Ｗに伸びるとともに、長手辺の方向Ｗの両端における内周の高さ（高さ方向Ｈの位置）が異なる高さとなるよう形成されている。図３では、長穴６５、６６は、右端の内周が最も高く、左端の内周が最も低くなっている。この実施形態では、長穴６５には主軸５４が挿入し、長穴６６には副軸５５が挿入する。
ここで、カムスライダー６１に形成される長穴６５、６６の形状は、図３に示したものに限定されない。また、長穴６５、６６は基部６２に対して貫通していないものであってもよい。
【００２９】
そして、カムスライダー６１は、長手辺の方向Ｗが第２方向Ｄ２を向きつつ、長穴６５、６６の開口が第１方向Ｄ１に向くよう、ローダーアッシー３０に取り付けられる。そして、ローダーアッシー３０に取り付けられたカムスライダー６１の長穴６５、６６には、トラバースシャーシ５１から伸びた主軸５４、副軸５５の先端５４ａ、５５ａと、がそれぞれ挿入する。
【００３０】
次に、上記構成の光ディスクドライブ装置１０の動作を説明する。
図４、図５は、昇降部６０がトラバースアッシー５０の位置を変化させる作用を説明する図である。図４は、トラバースアッシー５０の位置が第１の位置である場合の光ディスクドライブ装置１０の前方側から見た軸部の位置（図４（ａ）と、トラバースアッシー５０の位置を示す断面図（図４（ｂ））と、をそれぞれ示す。また、図５は、トラバースアッシー５０の位置が第２の位置である場合の光ディスクドライブ装置１０の前方側から見た軸部の位置（図５（ａ）と、トラバースアッシー５０の位置を示す断面図（図５（ｂ））と、をそれぞれ示す。
【００３１】
まず、トレイ３５（図１）が筺体から引き出された状態では、図４（ａ）に示すように、主軸５４、副軸５５は、カムスライダー６１の長穴６５、６６における第３方向Ｄ３での高さが最も低い部位に位置している。そのため、図４（ｂ）に示すように、トラバースアッシー５０の位置がベース３１に近い第１の位置となっている。
【００３２】
次に、ユーザーがトレイ３５に光ディスクをセットすると、光ディスクドライブ装置１０は、トレイ３５を筺体内部に引き入れる。このとき、カムスライダー６１が動力部６７（図２）の駆動により第２方向Ｄ２にスライドし、長穴６５、６６に挿入されている主軸５４、副軸５５の先端５４ａ、５５ａをスライドさせる。そして、カムスライダー６１の位置がベース３１の一端に達すると、図５（ａ）に示すように、主軸５４、副軸５５の先端５４ａ、５５ａの位置が、長穴６５、６６の最も高い位置となる。そのため、図５（ｂ）に示すように、トラバースアッシー５０の位置を、第１の位置（図４（ｂ））と比べて高さ方向（第３方向Ｄ３）に昇降させた第２の位置に変化させる。
【００３３】
ターンテーブル５２の上方には、クランパー保持部３２により保持されたクランパー４０が位置しており、トラバースアッシー５０の位置が第２の位置に変化することで、光ディスク（図示しない）をクランパー４０とターンテーブル５２とで挟みこむ（チャッキング）。
【００３４】
次に、光ディスクドライブ装置１０は、ターンテーブル５２を駆動させ、光ディスクを回転させる。また、光ディスクドライブ装置１０は、光ピックアップ５３の図示しない半導体レーザーから照射された光を、対物レンズで集光させて、光ディスクのトラックに照射する。そして、トラバースアッシー５０は、光ピックアップ５３に、光ディスクからの反射光を受光させ、この反射光の受光量をもとに情報を読み取る。
【００３５】
また、トラバースアッシー５０は、光ピックアップ５３と光ディスクとの距離が所定の位置となるようフォーカス制御を行い、また、光ピックアップ５３が光メディアのトラックに追従するようトラッキング制御を行う。
フォーカス制御では、トラバースアッシー５０は、図示しないフォーカスモーターを駆動し、光ピックアップ５３をフォーカス方向（第３方向Ｄ３に平行な方向）に移動させる。また、トラッキング制御では、スクリューモーター５６の回転によりティース５７を駆動し、光ピックアップ５３をトラッキング方向（第１方向Ｄ１に平行な方向）に移動させる。
【００３６】
そして、光ディスクドライブ装置１０は、光ディスクから読み取った情報を図示しないケーブルを通して出力する。
【００３７】
以上、説明したようにこの第１の実施形態にかかる光ディスクドライブ装置１０では、以下の効果を奏する。
（１）昇降部６０の長穴６５、６６にはトラバースシャーシ５１から突き出た軸部５４、５５が挿入している。そして、昇降部６０が軸部５４、５５をスライドさせて、トラバースシャーシ５１の位置を第１の位置から第２の位置に変化させる。すなわち、光ディスクドライブ装置１０では、断面が円状である軸部５４、５５が長穴６５、６６をスライドすることで、軸部５４、５５と長穴６５、６６との間の摩擦力を低減させるための部材を必要とせず、部品点数の増加に至らない。そのため、部品点数を増加させることなく、トラバースシャーシ５１の摺動性を高め、光ディスクドライブ装置１０を正しく動作させることができる。
【００３８】
（２）また、光ピックアップ５３を保持する軸部を伸ばして、昇降部６０の長穴６５、６６に挿入しているため、部品点数を増加させることなく、トラバースアッシー５０の昇降を行うことができる。
【００３９】
２．第２の実施形態：
この第２の実施形態では、光ディスクドライブ装置１０が外部から強い衝撃を受けた場合に、トラバースアッシー５０の動きを規制して衝撃から保護する部位（保護リブ）を備える構成が他の実施形態と比べて異なる。
【００４０】
この第２の実施形態においても、図２に示すように、光ディスクドライブ装置１０のトップケース２０、ボトムケース２５の内部には、トラバースアッシー５０と、ローダーアッシー３０と、を備えている。また、ローダーアッシー３０は、トラバースアッシー５０を第３方向Ｄ３でスライド可能に保持している。
【００４１】
図６は、一例としてのカムスライダー６１の構成を示す斜視図である。なお、第１の実施形態と同じ符号を付した箇所は、同じものであり、その説明は省略する。
【００４２】
図６に示すカムスライダー６１は、基部６２から高さ方向Ｈでそれぞれ延設する保護リブ６８、６９を備える。この保護リブ６８、６９はカムスライダー６１がローダーアッシー３０に取り付けられた際、トラバースアッシー５０が位置する側に突出するよう基部６２に形成されている。図６では、保護リブ６８、６９を１セットとして、長手辺の方向Ｗに２セットの保護リブ６８、６９が形成されている。また、保護リブ６８と保護リブ６９との高さ方向ＨでのピッチＰは、トラバースシャーシ５１の厚みと比べて大きくなっている。
【００４３】
ここで、図６では、保護リブ６８、６９は長手辺の方向Ｗにおいて同じ位置となるよう形成されているが、これに限定されない。すなわち、保護リブ６８、６９が長手辺の方向Ｗにおいてそれぞれずれて形成されていてもよい。
また、保護リブ６８、６９は、カムスライダー６１に形成される以外でも、ベース３１に形成されていてもよい。
【００４４】
図７は、トラバースアッシー５０を衝撃から保護する構成を説明する図である。図７（ａ）は、トラバースアッシー５０が第１の位置である場合を示している。また、図７（ｂ）は、トラバースアッシー５０が第２の位置である場合を示している。
【００４５】
トラバースアッシー５０が第１の位置であれば、図７（ａ）に示すように、トラバースシャーシ５１の先端５１ａの上部および下部には、保護リブ６８、６９が位置していない。
【００４６】
カムスライダー６１がローダーアッシー３０の内部を第２方向Ｄ２にスライドし、トラバースアッシー５０を第２の位置に変化させる。このとき、トラバースシャーシ５１の先端５１ａが保護リブ６８と保護リブ６９との間に位置する。上記のように、保護リブ６８と保護リブ６９とのピッチＰは、トラバースシャーシ５１の厚みと比べて大きく、トラバースシャーシ５１は、いずれの保護リブ６８、６９とも干渉しない。
【００４７】
トラバースアッシー５０を第２の位置に変化させた状態で、外部から強い力が加わると、トラバースシャーシ５１の先端５１ａの上面または下面のいずれかが保護リブ６８、６９と接触する。そして、保護リブ６８、６９がトラバースシャーシ５１の先端５１ａと接触することで、トラバースシャーシ５１を支持し、加えられた力を分散させる。
【００４８】
上記のように構成した第２の実施形態は、第１の実施形態に示す効果に加えて以下の効果を奏する。すなわち、光ディスクドライブ装置１０に強い衝撃が加えられた場合でも、保護リブ６８、６９がトラバースシャーシ５１を支持することで、加えられた力を分散し、衝撃から光ディスクドライブ装置１０を守ることができる。
また、カムスライダー６２がスライドしてトラバースシャーシ５１が第２の位置となった場合に、トラバースシャーシ５１の上下に保護リブ６８、６９が位置する構成とすれば、光ディスクドライブ装置１０が光ディスクをチャッキングした際に衝撃が加えられた場合でも、光ディスクドライブ装置を衝撃から守ることができる。
【００４９】
３．第３の実施形態：
昇降部６０と接続する軸部は、主軸、副軸のいずれかであってもよい。図８は、一例としての第３の実施形態に係る光ディスクドライブ装置１０の分解斜視図である。また、図９は、一例としての第３の実施形態に係るカムスライダーの構成を示す斜視図である。なお、第１の実施形態と同じ符号を付した箇所は、同じものであり、その説明は省略する。
【００５０】
この第３の実施形態においても、図８に示すように、光ディスクドライブ装置１０のトップケース２０、ボトムケース２５の内部には、トラバースアッシー５０と、ローダーアッシー３０と、を備えている。
【００５１】
トラバースアッシー５０の主軸１５４、副軸１５５は、トラバースシャーシ５１に第１方向Ｄ１に伸びるよう保持されている。この第３の実施形態では、主軸１５４の前方の先端１５４ａは、トラバースシャーシ５１から突き出るよう同トラバースシャーシ５１に保持されている。すなわち、副軸５５の先端５５ａは、トラバースシャーシ５１から突き出ていない。
【００５２】
図９に示すように、カムスライダー６１は、トラバースシャーシ５１から伸びた主軸１５４が挿入して嵌合する長穴１６５を有している。すなわち、この第３の実施形態では、他の実施形態と比べて、カムスライダー６１に形成された長穴は１つである。ここで、長穴１６５の形状は、第１の実施形態に示した長穴６５と同様の構成である。
【００５３】
カムスライダー６１は、長手辺の方向Ｗが第２方向Ｄ２を向きつつ、長穴１６５の開口が第１方向Ｄ１に向くよう、ローダーアッシー３０に取り付けられる。そして、ローダーアッシー３０に取り付けられたカムスライダー６１の長穴１６５には、トラバースシャーシ５１から伸びた主軸１５４の先端１５４ａが挿入する。
【００５４】
ここで、カムスライダー６１の長穴に挿入する軸部は、主軸１５４以外にも、副軸１５５であってもよい。主軸１５４をカムスライダー６１の長穴に嵌めてスライドさせれば、トラバースアッシー５０の重心に近い位置でトラバースアッシー５０をスライドさせることができる。そのため、光ディスクドライブ装置１０の摺動性を損なうことなく本発明を実現することができる。
一方、副軸１５５をカムスライダー６１の長穴に挿入してスライドさせれば、主軸１５４と比べて精度が低い副軸１５５を用いてトラバースアッシー５０をスライドさせることができる。
【００５５】
上記のように構成した第３の実施形態では、第１の実施形態に示す効果に加えて以下の効果を奏する。すなわち、１つの軸のみでカムスライダーと嵌合することで、光ディスクドライブ装置の組み付けに要する負担を軽くすることができる。
【００５６】
４．その他の実施形態：
光ディスクドライブ装置１０は、トレイ型のものに限定されない。トレイ３５を有さず、前部に形成された挿入口に光ディスクを挿入するスロットローディング型の構成であってもよい。
また、光ディスクドライブ装置１０は、ボトムケース２５を備えず、トップケース２０のみを有するものであってもよい。
【００５７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５８】
１０…光ディスクドライブ装置、２０…トップケース、２５…ボトムケース、３０…ローダーアッシー、３１…ベース、３２…クランパー保持部、３４…嵌合ピン、３５…トレイ、４０…クランパー、５０…トラバースアッシー、５１…トラバースシャーシ、５２…ターンテーブル、５３…光ピックアップ、５４…主軸、５５…副軸、５６…スクリューモーター、５７…ティース、５８…嵌合溝、６０…昇降部、６１…カムスライダー、６２…基部、６３…ギア部、６４…スライド部、６５、６６…長穴、６７…動力部、６８、６９…保護リブ
【図１】
2015153435.tif 000003
【図２】
2015153435.tif 000004
【図３】
2015153435.tif 000005
【図４】
2015153435.tif 000006
【図５】
2015153435.tif 000007
【図６】
2015153435.tif 000008
【図７】
2015153435.tif 000009
【図８】
2015153435.tif 000010
【図９】
2015153435.tif 000011